(57)【要約】  本発明は、マルチメディアの応用環境下でアルバムのコンテンツを案内するオーディオが結合されたマルチメディアプレイリストの再生方法、装置及びその方法を実行するためのプログラム及びＭＰＶファイルが保存された記録媒体に係り、該方法は、アルバムのコンテンツを案内するためのオーディオが結合された資産を検出するステップと、検出された資産の情報に基づいてオーディオ及びアルバムのインデックス情報を再生するステップとを含むプレイリストの再生方法である。
2007531960.tif 000002
【特許請求の範囲】
【請求項１】
少なくとも一つのアルバムに対するプレイリストの再生方法において、
前記アルバムのコンテンツを案内するためのオーディオが結合された資産を検出するステップと、
前記検出された資産の情報に基づいて前記オーディオを再生するステップとを含むプレイリストの再生方法。
【請求項２】
前記資産の情報は、前記アルバムのインデックス情報を提供する第１資産の識別情報と、前記アルバムに対応するオーディオのインデックス情報を提供する第２資産の識別情報とを含むことを特徴とする請求項１に記載のプレイリストの再生方法。
【請求項３】
前記資産の情報は、前記オーディオのボリューム値、前記オーディオの再生時間、及びオーディオのファイルサイズのうち、少なくとも一つをさらに含むことを特徴とする請求項２に記載のプレイリストの再生方法。
【請求項４】
前記オーディオの再生ステップは、
前記第２資産の識別情報に基づいて前記第２資産を検出するステップと、
前記第２資産の情報を検出するステップと、
前記第２資産の情報に基づいて前記オーディオのファイルを読み取るステップと、
前記オーディオのボリューム値または／及びオーディオの再生時間に基づいて、前記オーディオファイルを再生するステップとを含むことを特徴とする請求項３に記載のプレイリストの再生方法。
【請求項５】
前記オーディオの再生ステップは、
前記第２資産の識別情報に基づいて前記第２資産を検出するステップと、
前記第２資産の情報を検出するステップと、
前記第２資産の情報に基づいて前記オーディオのファイルを読み取って再生するステップとを含むことを特徴とする請求項２に記載のプレイリストの再生方法。
【請求項６】
ＭＰＶファイルを利用する少なくとも一つのアルバムに対するマルチメディアプレイリストの再生方法において、
前記ＭＰＶファイルから前記アルバムのコンテンツを案内するためのオーディオが結合された第１資産を検出するステップと、
前記ＭＰＶファイルから前記検出された第１資産の下位レベルにある少なくとも一つのエレメントを検出するステップと、
前記エレメントの情報に基づいて前記アルバムのインデックス情報及び前記オーディオを再生するステップとを含むことを特徴とするマルチメディアプレイリストの再生方法。
【請求項７】
前記エレメントは、前記アルバムに対応するオーディオのインデックス情報を提供する第２資産を指定する第１エレメントを含むことを特徴とする請求項６に記載のマルチメディアプレイリストの再生方法。
【請求項８】
前記オーディオの再生ステップは、
前記第１エレメントの情報に基づいて、前記ＭＰＶファイルから前記第２資産を検出するステップと、
前記検出された第２資産の情報に基づいて前記オーディオのファイルを読み取って再生するステップとを含むことを特徴とする請求項７に記載のマルチメディアプレイリストの再生方法。
【請求項９】
前記エレメントは、前記アルバムのインデックス情報を提供する第３資産を指定する第２エレメント、及び前記オーディオの再生特性に関連した少なくとも一つのエレメントをさらに備え、
前記オーディオの再生は、前記オーディオの再生特性に関連した少なくとも一つのエレメントの情報に基づいて制御されることを特徴とする請求項８に記載のマルチメディアプレイリストの再生方法。
【請求項１０】
前記オーディオの再生特性に関連した少なくとも一つのエレメントは、オーディオのボリューム値、オーディオの再生時間のうち少なくとも一つを備えることを特徴とする請求項９に記載のマルチメディアプレイリストの再生方法。
【請求項１１】
前記エレメントは、前記アルバムのインデックス情報を提供する第３資産を指定する第２エレメント、及び前記オーディオの再生特性に関連した少なくとも一つのエレメントをさらに備え、
前記オーディオの再生は、前記オーディオの再生特性に関連した少なくとも一つのエレメントの情報に基づいて制御されることを特徴とする請求項７に記載のマルチメディアプレイリストの再生方法。
【請求項１２】
ＭＰＶファイルを利用する少なくとも一つのアルバムに対するマルチメディアプレイリストの再生方法において、
前記ＭＰＶファイルから前記アルバムのコンテンツを案内するためのオーディオが結合された第１資産及び前記第１資産を指定する第２資産のうち、何れか一つを検出するステップと、
前記第２資産が検出されれば、前記第２資産の情報に基づいて前記ＭＰＶファイルから前記第１資産を検出するステップと、
前記第１資産が検出されれば、前記検出された第１資産の情報に基づいて前記オーディオを再生するステップとを含むことを特徴とするマルチメディアプレイリストの再生方法。
【請求項１３】
前記第１資産の情報は、前記アルバムのインデックス情報を提供する第３資産の識別情報と、前記アルバムに対応するオーディオのインデックス情報を提供する第４資産の識別情報とを含むことを特徴とする請求項１１に記載のマルチメディアプレイリストの再生方法。
【請求項１４】
前記オーディオの再生ステップは、
前記第４資産の識別情報に基づいて前記ＭＰＶファイルから前記第４資産を検出するステップと、
前記第４資産の情報に基づいて前記オーディオのファイルを読み取って再生するステップとを含むことを特徴とする請求項１２に記載のマルチメディアプレイリストの再生方法。
【請求項１５】
少なくとも一つのアルバムに対するプレイリストの再生装置において、
前記アルバムのコンテンツを表すメディア、及び前記アルバムのプレイリストを再生できるファイルが保存されている記録媒体と、
前記ファイル情報をパーシングしつつ、前記アルバムのコンテンツを案内するためのオーディオが結合された資産及び前記資産の情報を検出するファイルソフトウェアユニットと、
前記ファイルソフトウェアユニットにより検出された前記資産の情報に基づいて前記記録媒体に保存されている前記メディアのうち、前記アルバムのコンテンツを案内するためのオーディオのファイルを再生させる再生制御部と、
前記再生制御部により制御されて、前記オーディオを出力する出力ユニットとを備えることを特徴とするプレイリストの再生装置。
【請求項１６】
前記資産の情報は、前記アルバムのインデックス情報を提供する第１資産の識別情報と、前記アルバムに対応するオーディオのインデックス情報を提供する第２資産の識別情報とを含み、
前記ファイルソフトウェアユニットは、前記第２資産の識別情報に基づいて前記記録媒体に保存されているファイルから前記第２資産を検出し、
前記第１資産の識別情報に基づいて前記ファイルから前記第１資産を検出し、
検出された第１資産及び第２資産の情報を前記再生制御部に提供し、
前記出力ユニットは、前記第１資産情報に基づいて前記アルバムのインデックス情報をさらに出力することを特徴とする請求項１５に記載のプレイリストの再生装置。
【請求項１７】
前記資産の情報は、前記オーディオの再生特性情報をさらに含み、
前記ファイルソフトウェアユニットは、前記再生特性情報を前記再生制御部に提供することを特徴とする請求項１５に記載のプレイリストの再生装置。
【請求項１８】
前記再生特性情報は、オーディオのボリューム値及びオーディオの再生時間のうち、少なくとも一つを含むことを特徴とする請求項１７に記載のプレイリストの再生装置。
【請求項１９】
少なくとも一つのアルバムに対するプレイリストの再生方法を実行するためのプログラムが保存された記録媒体において、
前記再生方法は、
前記アルバムのコンテンツを案内するためのオーディオが結合された資産を検出するステップと、
前記検出された資産の情報に基づいて前記オーディオを再生するステップとを含むことを特徴とする記録媒体。
【請求項２０】
ＭＰＶファイルを利用する少なくとも一つのアルバムに対するマルチメディアプレイリストの再生方法を実行するためのプログラムが保存された記録媒体において、
前記再生方法は、
前記ＭＰＶファイルから前記アルバムのコンテンツを案内するためのオーディオが結合された第１資産を検出するステップと、
前記ＭＰＶファイルから前記検出された第１資産の下位レベルにある少なくとも一つのエレメントを検出するステップと、
前記エレメントの情報に基づいて、前記オーディオ及び前記アルバムのインデックス情報を再生するステップとを含むことを特徴とする記録媒体。
【請求項２１】
ＭＰＶファイルを利用する少なくとも一つのアルバムに対するマルチメディアプレイリストの再生方法を実行するためのプログラムが保存された記録媒体において、
前記再生方法は、
前記ＭＰＶファイルから前記アルバムのコンテンツを案内するためのオーディオが結合された第１資産から前記第１資産を指定する第２資産のうち、何れか一つを検出するステップと、
前記第２資産が検出されれば、前記第２資産の情報に基づいて前記ＭＰＶファイルから前記第１資産を検出するステップと、
前記第１資産が検出されれば、前記検出された第１資産の情報に基づいて前記オーディオを再生するステップとを含むことを特徴とする記録媒体。
【請求項２２】
少なくとも一つのアルバムに対するマルチメディアプレイリストを再生できるＭＰＶファイルが保存された記録媒体において、
前記ＭＰＶファイルは、
前記アルバムのコンテンツを案内するためのオーディオが結合された資産と、
前記資産の下位レベルに定義された少なくとも一つのエレメントと、
前記エレメントの情報に基づいて検出される前記アルバムのインデックス情報を提供する資産と、
前記エレメントの情報に基づいて検出される前記オーディオのインデックス情報を提供する資産とを備えることを特徴とする記録媒体。
【請求項２３】
少なくとも一つのアルバムに対するマルチメディアプレイリストを再生できるＭＰＶファイルが保存された記録媒体において、
前記ＭＰＶファイルは、
前記アルバムのコンテンツを案内するためのオーディオが結合された資産と、
前記資産の下位レベルに定義された少なくとも一つのエレメントと、
前記エレメントの情報に基づいて検出される前記アルバムのインデックス情報を提供する資産と、
前記エレメントの情報に基づいて検出される前記オーディオのインデックス情報を提供する資産と、
前記オーディオが結合された資産を指定する資産とを備えることを特徴とする記録媒体。
【発明の詳細な説明】
【技術分野】
【０００１】
本発明は、マルチメディア応用環境でマルチメディアプレイリストに係り、さらに具体的には、意味的に定義されるアルバムのコンテンツを案内するオーディオが結合されたマルチメディアプレイリストの再生方法、装置及びその方法を実行するためのプログラムまたはファイルが保存された記録媒体に関する。
【背景技術】
【０００２】
最近、デジタルカメラ、デジタルカムコーダ、ＭＰＥＧ（Ｍｏｔｉｏｎ  Ｐｉｃｔｕｒｅ  Ｅｘｐｅｒｔｓ  Ｇｒｏｕｐ）オーディオファイルであるＭＰ３ファイルやマイクロソフトウィンドウメディアオーディオファイルであるＷＭＡファイルなどを支援するデジタルオーディオの再生装置を使用して、デジタル写真、ビデオ、デジタルオーディオ、テキストのような多様なメディアから構成されたコンテンツを生成することが普遍化されている。
【０００３】
コンテンツ生成装置は、そのようなコンテンツを生成するとき、生成されたコンテンツの再生順序や再生方法のような属性データであるメタデータを生成できる。例えば、スライドショー機能やパノマラ機能を利用して、意味的にデジタルカメラを使用してキャプチャーした写真を分けてコンテンツを生成するとき、生成されるコンテンツの属性データを決定できる。スライドショー機能を利用する場合に、属性データは、スライドショーでディスプレイされる写真の順序、写真間の時間間隔を含みうる。パノマラ機能を利用する場合に、属性データは、写真間の関係を含みうる。このように決定された属性データは、生成されたコンテンツと共にデジタルカメラに保存される。
【０００４】
コンテンツ生成装置により生成されたコンテンツは、ＰＣ（パーソナルコンピュータ）、メディアサーバ、またはマルチメディアの再生装置により再生されうる。また、コンテンツ生成装置で生成されたコンテンツは、ＰＣやメディアサーバで編集されうる。したがって、ユーザは、コンテンツ生成装置で生成された本来のコンテンツまたは編集されたコンテンツを、ＰＣや多様な種類のマルチメディアの再生装置を通じて鑑賞できる。前記コンテンツは、オンラインサービスを通じてユーザに提供されうる。
【０００５】
しかし、前記ＰＣを含むマルチメディアの再生装置とコンテンツ生成装置との間に相互連動性が弱くて、コンテンツ生成装置で生成された属性データがマルチメディアの再生装置に伝送されずに損失される。例えば、スライドショー機能を利用して生成されたコンテンツを、デジタルカメラからＵＳＢ（ユニヴァーサルシリアルバス）ケーブルを通じて前記デジタルカメラと連結されたＰＣに伝送するとき、写真データは、ＰＣに伝送されるが、写真データに対応する属性データは損失される。これは、デジタルカメラ及びＰＣがそれぞれ異なる情報構造及びデータ処理方式を有するためである。これにより、マルチメディアの再生装置は、前記属性データによるコンテンツをユーザに提供できない。
【０００６】
したがって、ＰＣのようなマルチメディアの再生装置とコンテンツ生成装置との間の相互連動性の脆弱さを補強するために、ＯＳＴＡ（オプティカルストレージテクノロジーアソシエーション）及びＩ３Ａ（インターナショナルイメージングインダストリーアソシエーション）は、ＭＰＶ（マルチフォトビデオまたはミュージックフォトビデオ）標準化を進めている。
【０００７】
ＭＰＶスペックは、光学ディスク、メモリカード、コンピュータハードディスクのような記録媒体に保存されるか、またはインターネットプロトコルにより交換されるデジタル写真、ビデオ、オーディオを備えるマルチメディアデータのセットを容易に処理、再生及び交換することを主目的としている。
【０００８】
ＯＳＴＡのホームページ（ＷＷＷ.ｏｓｔａ.ｏｒｇ）に公開されているＭＰＶスペックは、ＭＰＶコンテンツの構造を定義するスキーマ、ＭＰＶコンテンツを運用する方法に対する処理及び可能性を定めるプラクティス、前記スキーマ、前記プラクティス及び追加的なコンテンツのセットであるプロファイル、及びＭＰＶスペックにより使用される他のスペックである参照スペックを備える。
【０００９】
また、ＭＰＶスペックは、ＭＰＶコアと、ＭＰＶコアを利用するプロファイルとを備える。ＭＰＶコアは、基本的に、コレクション、メタデータ及び識別子を備える。コレクションは、マニフェスト、資産リスト及び標識資産を含む。
【００１０】
前記マニフェストは、一つのＸＭＬ（ｅＸｔｎｅｓｉｂｌｅ  Ｍａｒｋｕｐ  Ｌａｎｇｕａｇｅ）文書であって、全てのＭＰＶ要素をグループ化したものである。このマニフェストは、少なくとも一つの資産リストまたはマニフェストリンクを備える。マニフェストは、メタデータがベーシックプロファイルを説明する要素であるか、またはプレゼンテーションプロファイルを説明する要素であるかによって異なるＭＰＶ要素を備える。
【００１１】
すなわち、図１は、メタデータがベーシックプロファイルであるとき、マニフェスト１１０のＭＰＶファイル構造１００である。マニフェスト１１０は、ベーシックプロファイルを説明するメタデータ１２０、資産リスト１３０及び標識資産１４０を備える。
【００１２】
資産リスト１３０は、ＭＰＶコレクションで単一ローカル識別子を有する資産のセットであって、アルバムの位置（または、ルート）情報を有する。資産リスト１３０に含まれる資産は、シンプルメディア資産１３１と複合メディア資産１３２とに分けられる。シンプルメディア資産１３１は、デジタル写真、ビデオ、オーディオ、テキスト、プリント、ドキュメント、マニフェストリンクなどの要素を備える。複合メディア資産は、デジタル写真＋デジタルオーディオ、デジタルオーディオ＋デジタル写真、連続撮影デジタル写真、パノマラ撮影デジタル写真などの要素を備える。
【００１３】
図２は、メタデータがプレゼンテーションプロファイルであるとき、マニフェスト２１０のＭＰＶファイル構造２００である。マニフェスト２１０は、プレゼンテーションファイルを説明するメタデータ２２０、アルバム２３０及び資産リスト２４０を備える。
【００１４】
アルバム２３０は、メタデータ２３１、アルバムに対応するコンテンツを再生するとき、前面にディスプレイされるメディアの資産を表示するフォアグラウンド２３２、及びアルバムに対応するコンテンツを再生するとき、背景として使用されるメディアの資産を表示するバックグラウンド２３３を備える。資産リスト２４０は、図１に示す資産リスト１３０のようなシンプルメディア資産２４１及び複合メディア資産２４２を備える。
【００１５】
図１の資産リスト１３０及び図２の資産リスト２４０に含まれる全ての資産は、各資産ごとに唯一の識別子であるインスタントＩＤ、該資産の所定目的のために使用される度に生成されるコンテンツＩＤ、該資産の経路及び資産のファイル名を表すラストＵＲＬ、メタデータで可変できる地域を表すＩＤ、原本データ及び変更されたデータに同じく割り当てられるドキュメントＩＤなど、５種の識別子を使用して識別できる。
【００１６】
しかし、マニフェストリンクは、他のＭＰＶファイルを指定する資産である。したがって、マルチメディアの再生装置が記録媒体に記録されたＭＰＶファイルをパーシングしてマルチメディアプレイリスト（または、資産リスト）を再生するとき、デジタル写真、ビデオ、オーディオ、テキスト及びドキュメントのような資産は、対応するメディアが提供されるので、ユーザがプレイリストに基づいてアルバムのコンテンツを認識できる。しかし、マニフェストリンク資産に基づいて提供されたプレイリストはアルバムのインデックスであるので、ユーザがアルバムのコンテンツを知ることができない。したがって、資産リストにマニフェストリンク資産が多ければ多いほど、ユーザは、プレイリスト上で所望のアルバムを見出すことが難しくなる。
【発明の開示】
【発明が解決しようとする課題】
【００１７】
本発明が解決しようとする技術的課題は、マルチメディア応用環境下でアルバムのコンテンツを案内するオーディオが結合されたプレイリストの再生方法、装置及びその方法を実行するためのプログラム及びＭＰＶファイルが保存された記録媒体を提供することである。
【００１８】
本発明が解決しようとする技術的課題は、マルチメディア応用環境下でアルバムのコンテンツを見ずにアルバムのコンテンツをユーザが推理できる、オーディオが結合されたマルチメディアプレイリストの再生方法、装置及びその方法を実行するためのプログラム及びＭＰＶファイルが保存された記録媒体を提供することである。
【課題を解決するための手段】
【００１９】
前記技術的課題を解決するために、本発明は、少なくとも一つのアルバムに対するプレイリストの再生方法において、前記アルバムのコンテンツを案内するためのオーディオが結合された資産を検出するステップと、前記検出された資産の情報に基づいて前記オーディオを再生するステップと、を含むプレイリストの再生方法を提供する。
【００２０】
前記技術的課題を解決するために、本発明は、ＭＰＶファイルを利用する少なくとも一つのアルバムに対するマルチメディアプレイリストの再生方法において、前記ＭＰＶファイルから前記アルバムのコンテンツを案内するためのオーディオが結合された第１資産を検出するステップと、前記ＭＰＶファイルから前記検出された第１資産の下位レベルにある少なくとも一つのエレメントを検出するステップと、前記エレメントの情報に基づいて前記アルバムのインデックス情報及び前記オーディオを再生するステップと、を含むマルチメディアプレイリストの再生方法を提供する。
【００２１】
前記技術的課題を解決するために、本発明は、ＭＰＶファイルを利用する少なくとも一つのアルバムに対するマルチメディアプレイリストの再生方法において、前記ＭＰＶファイルから前記アルバムのコンテンツを案内するためのオーディオが結合された第１資産及び前記第１資産を指定する第２資産のうち、何れか一つを検出するステップと、前記第２資産が検出されれば、前記第２資産の情報に基づいて前記ＭＰＶファイルから前記第１資産を検出するステップと、前記第１資産が検出されれば、前記検出された第１資産の情報に基づいて前記オーディオを再生するステップとを含むマルチメディアプレイリストの再生方法を提供する。
【００２２】
前記技術的課題を解決するために、本発明は、少なくとも一つのアルバムに対するプレイリストの再生装置において、前記アルバムのコンテンツを表すメディア、及び前記アルバムのプレイリストを再生できるファイルが保存されている記録媒体と、前記ファイル情報をパーシングしつつ、前記アルバムのコンテンツを案内するためのオーディオが結合された資産及び前記資産の情報を検出するファイルソフトウェアユニットと、前記ファイルソフトウェアユニットにより検出された前記資産の情報に基づいて前記記録媒体に保存されている前記メディアのうち、前記アルバムのコンテンツを案内するためのオーディオのファイルを再生させる再生制御部と、前記再生制御部により制御されて、前記オーディオを出力する出力ユニットとを備えるプレイリストの再生装置を提供する。
【００２３】
前記技術的課題を解決するために、本発明は、少なくとも一つのアルバムに対するプレイリストの再生方法を実行するためのプログラムが保存された記録媒体において、前記再生方法は、前記アルバムのコンテンツを案内するためのオーディオが結合された資産を検出するステップと、前記検出された資産の情報に基づいて前記オーディオを再生するステップとを含む記録媒体を提供する。
【００２４】
前記技術的課題を解決するために、本発明は、ＭＰＶファイルを利用する少なくとも一つのアルバムに対するマルチメディアプレイリストの再生方法を実行するためのプログラムが保存された記録媒体において、前記再生方法は、前記ＭＰＶファイルから前記アルバムのコンテンツを案内するためのオーディオが結合された第１資産を検出するステップと、前記ＭＰＶファイルから前記検出された第１資産の下位レベルにある少なくとも一つのエレメントを検出するステップと、前記エレメントの情報に基づいて、前記オーディオ及び前記アルバムのインデックス情報を再生するステップとを含む記録媒体を提供する。
【００２５】
前記技術的課題を解決するために、本発明は、ＭＰＶファイルを利用する少なくとも一つのアルバムに対するマルチメディアプレイリストの再生方法を実行するためのプログラムが保存された記録媒体において、前記再生方法は、前記ＭＰＶファイルから前記アルバムのコンテンツを案内するためのオーディオが結合された第１資産及び前記第１資産を指定する第２資産のうち、何れか一つを検出するステップと、前記第２資産が検出されれば、前記第２資産の情報に基づいて前記ＭＰＶファイルから前記第１資産を検出するステップと、前記第１資産が検出されれば、前記検出された第１資産の情報に基づいて前記オーディオを再生するステップとを含む記録媒体を提供する。
【００２６】
前記技術的課題を解決するために、本発明は、少なくとも一つのアルバムに対するマルチメディアプレイリストを再生できるＭＰＶファイルが保存された記録媒体において、前記ＭＰＶファイルは、前記アルバムのコンテンツを案内するためのオーディオが結合された資産及び前記資産の下位レベルに定義された少なくとも一つのエレメントと、前記エレメントの情報に基づいて検出される前記アルバムのインデックス情報を提供する資産及び前記エレメントの情報に基づいて検出される前記オーディオのインデックス情報を提供する資産と、を備える記録媒体を提供する。
【００２７】
前記技術的課題を解決するために、本発明は、少なくとも一つのアルバムに対するマルチメディアプレイリストを再生できるＭＰＶファイルが保存された記録媒体において、前記ＭＰＶファイルは、前記アルバムのコンテンツを案内するためのオーディオが結合された資産及び前記資産の下位レベルに定義された少なくとも一つのエレメントと、前記エレメントの情報に基づいて検出される前記アルバムのインデックス情報を提供する資産及び前記エレメントの情報に基づいて検出される前記オーディオのインデックス情報を提供する資産及び前記オーディオが結合された資産を指定する資産とを備える記録媒体を提供する。
【発明の効果】
【００２８】
本発明に係るマルチメディアプレイリストの再生方法によれば、アルバム項目に対するプレイリストの再生時に、前記アルバムのコンテンツを案内するオーディオを共に提供することによって、ユーザがアルバムのコンテンツを参照せずにアルバムの内容を認識できるので、所望のアルバムを容易に見出せる。
【００２９】
また、前述のようにアルバムのコンテンツを案内するオーディオ資産と対応するマニフェストリンク資産とを結合させるに当って、既存のＭＰＶファイル構造を損傷させずに具現することによって、既存のＭＰＶスペックによるＣＥ装置またはＩＴ装置に、本発明に係るマルチメディアプレイリストの再生方法を適用できる。
【発明を実施するための最良の形態】
【００３０】
以下、添付された図面を参照して、本発明に係る実施形態を詳細に説明する。
【００３１】
図３は、本発明の実施形態によってＭＰＶファイルを生成できるＣＥ（コンシューマエレクトロニクス）装置またはＩＴ（インフォメーションテクノロジー）装置の機能ブロック図である。前記ＣＥ装置は、ＤＶＤレコーダ、デジタルカメラ、デジタルカムコーダ、ＭＰ３プレイヤーのような装置である。ＩＴ装置は、ＰＣのような装置である。図３に示すように、ＣＥ装置またはＩＴ装置は、コンテンツ生成部３０１、ＭＰＶファイル生成部３０２、記録制御部３０３及び記録媒体３０４を備える。
【００３２】
コンテンツ生成部３０１は、ＭＰＶ標準で定義されているシンプルメディア資産または複合メディア資産に対応するメディアから構成されたコンテンツを生成できる。シンプルメディア資産に対応するメディアは、前記ディバイスがデジタルカメラである場合にキャプチャーされたデジタル写真のＪＰＧファイルであり、前記ディバイスがカムコーダである場合に、ビデオクリップファイルであり、前記ディバイスがＭＰ３プレイヤーであれば、デジタルオーディオのＭＰ３ファイルであり、前記ディバイスがＰＣであれば、テキストファイルでありうる。複合メディア資産に対応するメディアは、デジタル写真とデジタルオーディオとが結合され、連続撮影デジタル写真、パノマラ撮影デジタル写真、及びテキストデータと結合されたマルチメディアでありうる。
【００３３】
ＭＰＶファイル生成部３０２は、コンテンツ生成部３０１により生成されたコンテンツが受信されれば、ＭＰＶスペックによってＭＰＶファイルを生成する。ＭＰＶファイルが生成されるとき、マルチメディアプレイリスト（または、プレイリスト）と共にアルバムのコンテンツを表すオーディオを結合するために、ＭＰＶファイルにＭａｎｉｆｅｓｔＬｉｎｋＷｉｔｈＡｕｄｉｏ及びＭａｎｉｆｅｓｔＬｉｎｋＷｉｔｈＡｕｄｉｏＲｅｆ資産が含まれうる。ＭａｎｉｆｅｓｔＬｉｎｋＷｉｔｈＡｕｄｉｏ資産は、一つのオーディオ資産と、ＭａｎｉｆｅｓｔＬｉｎｋ資産を結合したものである。したがって、ＭａｎｉｆｅｓｔＬｉｎｋＷｉｔｈＡｕｄｉｏ資産の下位レベルに、アルバムに対応するオーディオのインデックスを提供するオーディオ資産の識別情報と、前記アルバムのインデックス情報を提供するＭａｎｉｆｅｓｔＬｉｎｋ資産の識別情報とが定義されうる。ＭａｎｉｆｅｓｔＬｉｎｋＷｉｔｈＡｕｄｉｏＲｅｆ資産は、ＭａｎｉｆｅｓｔＬｉｎｋＷｉｔｈＡｕｄｉｏ資産の位置を指定するエレメントである。
【００３４】
図４は、マニフェスト４００のメタデータがベーシックプロファイルを説明する要素であるとき、ＭａｎｉｆｅｓｔＬｉｎｋＷｉｔｈＡｕｄｉｏ資産が含まれるＭＰＶファイルの例である。図４は、ＭａｎｉｆｅｓｔＬｉｎｋＷｉｔｈＡｕｄｉｏＲｅｆ資産が考慮されない。図４から分かるように、ＭａｎｉｆｅｓｔＬｉｎｋＷｉｔｈＡｕｄｉｏ資産４０２は、資産リスト４０１の下位レベル（または、子レベル）に含まれる。図５に示すように、ＭａｎｉｆｅｓｔＬｉｎｋＷｉｔｈＡｕｄｏ資産４０２のスキーマ情報は、ネームスペースのプレフィックスがＳＭＰＶ（Ｓａｍｓｕｎｇ  ＭＰＶ）であり、ネームスペースの識別子が“ｈｔｔｐ：／／ｗｗｗ.ｓａｍｓｕｎｇ.ｃｏ.ｋｒ／ＳＭＰＶ”である“ＭａｎｉｆｅｓｔＬｉｎｋＷｉｔｈＡｕｄｉｏ.ｘｓｄ”のスキーマ位置に定義されている。
【００３５】
図４に示すように、ＭａｎｉｆｅｓｔＬｉｎｋＷｉｔｈＡｕｄｉｏ資産４０２の下位レベルに、ＭａｎｉｆｅｓｔＬｉｎｋＲｅｆ４０６、ＡｕｄｉｏＲｅｆ４０７、ＡｕｄｉｏＶｏｌｕｍｅ４０８、ＡｕｄｉｏＰｌａｙｉｎｇＴｉｍｅ４０９、ＡｕｄｉｏＦｉｌｅＳｉｚｅ４１０、コンテンツＩＤ４１１、ドキュメントＩＤ４１２、インスタントＩＤ４１３、メタデータ４１４、４１５、リレイテッド４１６、レンディション４１７などのエレメントが備えられる。
【００３６】
図４で、エレメントに添付された‘ｍｐｖ’、‘ＳＭＰＶ’、‘ｎｍｆ’は、ＸＭＬでのネームスペースである。ネームスペースが‘ＳＭＰＶ（Ｓａｍｓｕｎｇ
ＭＰＶ）’を有するエレメントは、本発明により新たに提案されるものである。ネームスペースが‘ｍｐｖ’または‘ｎｍｆ’を有するエレメントは、ＯＳＴＡで提案しているものであって、ＯＳＴＡのホームページに開示されているＭＰＶコアスペックに定義されているので、これについての説明は省略する。
【００３７】
図６は、ＭａｎｉｆｅｓｔＬｉｎｋＷｉｔｈＡｕｄｉｏ資産４０２のフルデスクリプションである。図７は、ＭａｎｉｆｅｓｔＬｉｎｋＷｉｔｈＡｕｄｉｏ資産４０２のタイプ要約図である。
【００３８】
図４で、ＭａｎｉｆｅｓｔＬｉｎｋＲｅｆ４０６は、マニフェストリンク４０３の識別子に対応する参照識別子を有する資産である。ＡｕｄｉｏＲｅｆ４０７は、ＭａｎｉｆｅｓｔＬｉｎｋ４０３と結合されたオーディオ資産４０４の識別子ＩＤを有する資産である。図４は、ＭａｎｉｆｅｓｔＬｉｎｋ４０３及びオーディオ資産４０４が、資産リスト４０１の下位レベルにある。したがって、マルチメディアプレイリストを再生するためにＭＰＶファイルをパーシングするとき、ＭａｎｉｆｅｓｔＬｉｎｋ４０３は、ＭａｎｉｆｅｓｔＬｉｎｋＲｅｆ４０６の情報を利用して検索され、Ａｕｄｉｏ４０４は、ＡｕｄｉｏＲｅｆ４０７の情報を利用して検索される。
【００３９】
ＭａｎｉｆｅｓｔＬｉｎｋ４０３は、アルバムまたはＭＰＶファイルを指定するエレメントまたは資産である。Ａｕｄｉｏ４０４は、ＭＰ３、ＷＭＡファイルのように、再生可能なオーディオファイルが保存された位置を指定するエレメントまたは資産である。
【００４０】
図８は、図４に示すＡｕｄｉｏＶｏｌｕｍｅ４０８の説明図である。ＡｕｄｉｏＶｏｌｕｍｅ４０８は、本来のサウンドボリュームに対して０ないし１００の整数を利用したパーセントで定義されうる。したがって、ＡｕｄｉｏＶｏｌｕｍｅ４０８の値が０であれば、オーディオのボリューム値が０であることを意味する。もし、ＡｕｄｉｏＶｏｌｕｍｅ４０８の値が設定されていない場合に、Ａｕｄｉｏｖｏｌｕｍｅの値は１００と同じものと見なされて、本来のオーディオを保護する。
【００４１】
図９は、図４に示すＡｕｄｉｏＰｌａｙｉｎｇｔｉｍｅ４０９の説明図である。ＡｕｄｉｏＰｌａｙｉｎｇＴｉｍｅ４０９の値は、秒単位でオーディオの再生時間を定義できる。オーディオの再生時間は、十進数で表現されうる。したがって、例えば、ＡｕｄｉｏＰｌａｙｉｎｇＴｉｍｅ４０９が“７.２”であれば、オーディオの再生時間は７.２秒であることを意味する。ＡｕｄｉｏＰｌａｙｉｎｇＴｉｍｅ４０９が定義されていなければ、オーディオの再生時間が分からないということを意味する。
【００４２】
図１０は、図４に示すＡｕｄｉｏＦｉｌｅＳｉｚｅ４１０の説明図である。ＡｕｄｉｏＦｉｌｅＳｉｚｅ４１０は、バイト単位でオーディオファイルサイズが定義される。例えば、ＡｕｄｉｏＦｉｌｅＳｉｚｅ４１０の値が“２４３３”に設定されていれば、オーディオファイルのサイズが２４３３バイトであることを意味する。しかし、ＡｕｄｉｏＦｉｌｅＳｉｚｅ４１０の値が定義されていなければ、オーディオファイルのサイズが分からないということを意味する。
【００４３】
前記ＡｕｄｉｏＶｏｌｕｍｅ４０８及びＡｕｄｉｏＰｌａｙｉｎｇＴｉｍｅ４０９は、アルバムのコンテンツを案内するためのオーディオの再生特性情報である。
【００４４】
図１１は、前述のように、本発明に係るＭａｎｉｆｅｓｔＬｉｎｋＷｉｔｈＡｕｄｉｏ資産が資産リストの下位レベルに含まれるとき、ＭＰＶファイルのソースコードの例である。図１１に示すように、資産リストは、下位レベル資産（または、子エレメント）であって、ＭａｎｉｆｅｓｔＬｉｎｋＷｉｔｈＡｕｄｉｏ資産、ＭａｎｉｆｅｓｔＬｉｎｋ資産、Ａｕｄｉｏ資産を備える。
【００４５】
ＭａｎｉｆｅｓｔＬｉｎｋＷｉｔｈＡｕｄｉｏ資産は、ｍｐｖ：ｉｄＲｅｆ＝“ＩＤ０００２００”を有するＭａｎｉｆｅｓｔＬｉｎｋＲｅｆ資産、ｍｐｖ：ｉｄＲｅｆ＝“ＩＤ０００３００”を有するＡｕｄｉｏＲｅｆ資産、オーディオボリューム値５０を有するＡｕｄｉｏＶｏｌｕｍ属性データ、オーディオの再生時間が‘１２０’であるＡｕｄｉｏＰｌｙｉｎｇＴｉｍｅ属性データ、オーディオファイルサイズが‘２６２９７９９’であるＡｕｄｉｏＦｉｌｅＳｉｚｅ属性データを下位レベル資産または属性データ（または子エレメント）として含む。
【００４６】
または、図１１でＭａｎｉｆｅｓｔＬｉｎｋＲｅｆ資産のｉｄＲｅｆと、資産リストの下位レベル資産であるＭａｎｉｆｅｓｔＬｉｎｋのｉｄとが何れも‘ＩＤ０００２００’であるということが分かる。これは、ＭａｎｉｆｅｓｔＬｉｎｋＲｅｆ資産とＭａｎｉｆｅｓｔＬｉｎｋ資産とが連結されたことを意味する。そして、ＡｕｄｉｏＲｅｆ資産のｉｄＲｅｆと、資産リストの下位レベル資産であるＡｕｄｉｏのｉｄとが何れも‘ＩＤ０００３００’であるということが分かる。これは、ＡｕｄｉｏＲｅｆ資産とＡｕｄｉｏ資産とが連結されたことを意味する。ＭａｎｉｆｅｓｔＬｉｎｋ資産のラストＵＲＬは、‘２００４−０６−１１／ａｌｂｕｍ.ｐｖｍ’に設定されている。これは、ＭａｎｉｆｅｓＬｉｎｋ資産が‘２００４−０６−１１／ａｌｂｕｍ.ｐｖｍ’と連結されたことを意味する。Ａｕｄｉｏ資産のラストＵＲＬは、‘２００４−０６−１１／ｍｙａｕｄｉｏ.ＷＡＶ’ファイルを示している。これは、該オーディオがＷＡＶファイルであることを意味する。
【００４７】
したがって、ＭａｎｉｆｅｓｔＬｉｎｋＲｅｆ資産のｉｄＲｅｆを利用してＭａｎｉｆｅｓｔＬｉｎｋ資産が検索されれば、検索されたＭａｎｉｆｅｓｔＬｉｎｋ資産のラストＵＲＬを利用して、‘２００４−０６−１１／ａｌｂｕｍ.ｐｖｍ’ファイルが記録媒体（図示せず）から検索され、‘２００４−０６−１１／ａｌｂｕｍ.ｐｖｍ’ファイルのコンテンツが再生される。また、ＡｕｄｉｏＲｅｆ資産のｉｄを利用してＡｕｄｉｏ資産が検索されれば、検索されたＡｕｄｉｏ資産のラストＵＲＬを利用して、‘２００４−０６−１１／ｍｙａｕｄｉｏ.ＷＡＶ’ファイルが前記記録媒体から検索され、‘２００４−０６−１１／ｍｙａｕｄｉｏ.ＷＡＶ’ファイルのコンテンツが再生される。
【００４８】
図１２は、ＭａｎｉｆｅｓｔＬｉｎｋＷｉｔｈＡｕｄｉｏ資産及びＭａｎｉｆｅｓｔＬｉｎｋＷｉｔｈＡｕｄｉｏＲｅｆ資産が含まれる図３のＭＰＶファイル生成部３０２で生成されるＭＰＶファイルの例であって、マニフェスト１２０１のメタデータがプレゼンテーションプロファイルを説明する要素である場合である。図１２の例が図４の例と異なることは、アルバム資産１２０２のフォアグラウンド資産１２０３の下位レベルに、資産リスト１２０５の下位レベルにあるＭａｎｉｆｅｓｔＬｉｎｋＷｉｔｈＡｕｄｉｏ資産１２０６のｉｄと同じ値を有するｉｄＲｅｆを有するＭａｎｉｆｅｓｔＬｉｎｋＷｉｔｈＡｕｄｉｏＲｅｆ資産１２０４が含まれるように、ＭＰＶファイルが生成されるということである。したがって、ＭａｎｉｆｅｓｔＬｉｎｋＷｉｔｈＡｕｄｉｏＲｅｆ資産１２０４のｉｄＲｅｆを利用して、ＭａｎｉｆｅｓｔＬｉｎｋＷｉｔｈＡｕｄｉｏ資産１２０６が検索される。
【００４９】
図１３は、図１２に示すＭａｎｉｆｅｓｔＬｉｎｋＷｉｔｈＡｕｄｉｏＲｅｆ１２０４の説明図である。他の資産１２０９ないし１２２２は、図４に示す対応する資産４０３、４０４、４０６ないし４１７と同じであるので、その説明を省略する。
【００５０】
図１４は、本発明によって、ＭａｎｉｆｅｓｔＬｉｎｋＷｉｔｈＡｕｄｉｏＲｅｆ資産及びＭａｎｉｆｅｓｔＬｉｎｋＷｉｔｈＡｕｄｉｏ資産が含まれたＭＰＶファイルのソースコードの例である。図１４のソースコードと図１１のソースコードとが異なるのは、図１４の場合に、アルバム資産の‘Ｆｏｒｅｇｒｏｕｎｄ’資産の下位レベルにＭａｎｉｆｅｓｔＬｉｎｋＷｉｔｈＡｕｄｉｏＲｅｆ資産を含み、ＭａｎｉｆｅｓｔＬｉｎｋＷｉｔｈＡｕｄｉｏＲｅｆ資産は、‘ＡｓｓｅｔＬｉｓｔ’の下位レベルにあるＭａｎｉｆｅｓｔＬｉｎｋＷｉｔｈＡｕｄｉｏのｉｄと同じｉｄＲｅｆを有する。図１４の場合に、前記ＭａｎｉｆｅｓｔＬｉｎｋＷｉｔｈＡｕｄｉｏＲｅｆ資産のｉｄＲｅｆと、ＭａｎｉｆｅｓｔＬｉｋＷｉｔｈＡｕｄｉｏ資産のｉｄとは‘ＩＤ０００１００’である。
【００５１】
前述のように、資産リストの下位レベルにＭａｎｉｆｅｓｔＬｉｎｋＷｉｔｈＡｕｄｉｏ資産が含まれる構造を有するＭＰＶファイル、またはアルバムのフォアグラウンドの下位レベルにＭａｎｉｆｅｓｔＬｉｎｋＷｉｔｈＡｕｄｉｏＲｅｆ資産が含まれ、資産リストの下位レベルにＭａｎｉｆｅｓｔＬｉｎｋＷｉｔｈＡｕｄｉｏ資産が含まれる構造をＭＰＶファイルが生成すれば、図３の記録制御部３０３は、入力されたＭＰＶファイルを記録媒体３０４に記録する。記録制御部３０３は、記録媒体３０４の所定の領域に前記ＭＰＶファイルを記録できる。前記所定の領域は、例えば、記録媒体３０４に設定されているファイルシステム領域にとりうる。記録媒体３０４は、メモリ、メモリスティック、光ディスク、またはハードディスクのうちいずれか一つとなりうる。
【００５２】
少なくとも一つのアルバムファイルと、前記アルバムファイルのコンテンツを案内するオーディオファイルとが記録媒体３０４に保存されうる。
【００５３】
図１５は、本発明の実施形態によって、オーディオが結合されたマルチメディアプレイリストを再生できるＣＥ装置またはＩＴ装置の機能ブロック図である。図１５に示すように、前記装置は、記録媒体１５０１、ＭＰＶソフトウェアユニット１５０３、再生制御部１５０４、表示部１５０５、及びオーディオ出力部１５０６を備える。
【００５４】
記録媒体１５０１は、メモリ、メモリスティック、光ディスク、またはハードディスクのうち何れか一つとなりうる。記録媒体１５０１は、本発明に係る構造を有するＭＰＶファイル１５０２が記録されている。ＭＰＶファイル１５０２は、前述の図４ないし図１４で説明されたような基準によってＭａｎｉｆｅｓｔＬｉｎｋＷｉｔｈＡｕｄｉｏ資産が資産リストの下位レベルに含まれる構造を有するか、またはアルバムのフォアグラウンド資産の下位レベルにＭａｎｉｆｅｓｔＬｉｎｋＷｉｔｈＡｕｄｉｏＲｅｆ資産が含まれ、資産リストの下位レベルにＭａｎｉｆｅｓｔＬｉｎｋＷｉｔｈＡｕｄｉｏを含む構造を有しうる。
また、少なくとも一つのアルバムのファイルと、前記アルバムのコンテンツを案内するオーディオファイルとが記録媒体１５０１に保存されうる。
【００５５】
ＭＰＶソフトウェアユニット１５０３は、ＭＰＶファイル１５０２に記録されている各種の資産及び属性データをパーシングして、記録媒体１５０１のユーザ領域に記録されているメディアが再生できる情報を再生制御部１５０４に提供する。特に、本発明に係るマルチメディアプレイリストを再生させるために、ＭＰＶソフトウェア１５０３は、ＭＰＶファイル１５０２をパーシングして、ＭａｎｉｆｅｓｔＬｉｎｋＷｉｔｈＡｕｄｉｏ資産及びＭａｎｉｆｅｓｔＬｉｎｋＷｉｔｈＡｕｄｉｏＲｅｆ資産が検出されるか否かによって、参照識別子に基づいて対応する資産を検索し、検索された資産についての情報を検出する。このとき、ＭａｎｉｆｅｓｔＬｉｎｋ資産に対応するＡｕｄｉｏ資産を共に検出して、ＭａｎｉｆｅｓｔＬｉｎｋ資産に基づくアルバムのインデックス情報がマルチメディアプレイリストに提供されるとき、前記アルバムのコンテンツを案内するオーディオが再生されるように、オーディオファイルについての情報を提供する。前記オーディオファイルの情報は、前記オーディオファイルのラストＵＲＬとなりうる。
【００５６】
また、図４または図１２のＭａｎｉｆｅｓｔＬｉｎｋＷｉｔｈＡｕｄｉｏ資産の下位レベルに含まれているオーディオ属性データが検出されれば、検出されたオーディオ属性データをパーシングして出力する。
【００５７】
再生制御部１５０４は、ＭＰＶソフトウェアユニット１５０３でパーシングされた結果が受信されれば、受信された情報に基づいて、記録媒体１５０１のユーザ領域に記録されているメディアが再生されるように制御する。このとき、ＭａｎｉｆｅｓｔＬｉｎｋ資産に基づいて提供されるものはアルバムのインデックスであるので、再生されるマルチメディアプレイリストに前記アルバムのインデックスが再生されるように制御する。再生制御部１５０４は、前記ＭＰＶソフトウェアユニット１５０３から提供されるオーディオファイルの情報を利用して、前記ＭａｎｉｆｅｓｔＬｉｎｋ資産に対応するオーディオファイルを記録媒体１５０１から読み取り、読み取られたオーディオファイルを前記アルバムのインデックスと共に再生されるように制御できる。したがって、記録媒体１５０１のユーザ領域に記録されたメディアは、前記オーディオファイルを含みうる。
【００５８】
表示部１５０５は、再生制御部１５０４から提供されるデジタル写真のような映像に該当するメディアをディスプレイする。オーディオ出力部１５０６は、再生制御部１５０４から出力されるオーディオ信号を出力する。特に、アルバムのインデックスのような情報の形態で再生されるマルチメディアプレイリストに対応するオーディオを出力して、アルバムのコンテンツをユーザが認識可能にする。表示部１５０５及びオーディオ出力部１５０６は、映像及びオーディオを出力する出力ユニットと定義されうる。
【００５９】
図１６は、本発明に係るマルチメディアプレイリストの再生方法の動作フローチャートである。
【００６０】
ステップ１６０１で、ＭＰＶソフトウェアを利用してＭＰＶファイルをパーシングしつつ、ＭａｎｉｆｅｓｔＬｉｎｋＷｉｔｈＡｕｄｉｏ資産またはＭａｎｉｆｅｓｔＬｉｎｋＷｉｔｈＡｕｄｉｏＲｅｆ資産が検出されたか否かをチェックする。もし、ＭａｎｉｆｅｓｔＬｉｎｋＷｉｔｈＡｕｄｉｏ資産が検出されたと認識されれば、ＭＰＶソフトウェアは、ステップ１６０２で、ＭａｎｉｆｅｓｔＬｉｎｋＷｉｔｈＡｕｄｉｏ資産の下位レベルにあるＭａｎｉｆｅｓｔＬｉｎｋＲｅｆ資産から参照識別子である‘ｍｐｖ：ｉｄＲｅｆ’を検出する。
【００６１】
ステップ１６０３で、前記ｉｄＲｅｆを利用してＭａｎｉｆｅｓｔＬｉｎｋ資産を検索する。すなわち、ｉｄＲｅｆと同じＩＤを有するＭａｎｉｆｅｓｔＬｉｎｋ資産を検索する。もし、ＭＰＶファイルが図４と同じ構造を有する場合に、ｉｄＲｅｆと同じＩＤを有するＭａｎｉｆｅｓｔＬｉｎｋ資産は、前記検出されたＭａｎｉｆｅｓｔＬｉｎｋＷｉｔｈＡｕｄｉｏ資産と同じレベルで検索される。
【００６２】
ステップ１６０４で、検索されたＭａｎｉｆｅｓｔＬｉｎｋ資産についての情報を検出する。すなわち、ラストＵＲＬまたはアルバムのタイトルのようなメタデータを検出する。前記ラストＵＲＬは、ＭａｎｉｆｅｓｔＬｉｎｋ資産に基づくアルバムのインデックスを指定するエレメントであるので、図１１のように、‘２００４−０６−１１／ａｌｂｕｍ.ｐｖｍ’のような形態で得られる。アルバムのタイトルは、図１１のように、“エバーランド・フォト”のような形態で得られる。
【００６３】
ステップ１６０５で、ＭａｎｉｆｅｓｔＬｉｎｋＷｉｔｈＡｕｄｉｏ資産の下位レベルにあるＡｕｄｉｏＲｅｆ資産である参照識別子である‘ｍｐｖ：ｉｄＲｅｆ’を検出する。ステップ１６０６で検出されたｉｄＲｅｆを利用して、Ａｕｄｉｏ資産を検出する。すなわち、資産の識別子がｉｄＲｅｆと同じ資産を検出する。ＭＰＶファイルが、図４のような構造を有する場合に、Ａｕｄｉｏ資産は、ＭａｎｉｆｅｓｔＬｉｎｋＷｉｔｈＡｕｄｉｏ資産と同じレベルで検索される。
【００６４】
ステップ１６０７で、Ａｕｄｉｏ資産についての情報を検出する。すなわち、Ａｕｄｉｏ資産のコンテンツＩＤまたはラストＵＲＬのような情報を検出する。図１１のように、ＭＰＶファイルが構成された場合に、前記コンテンツＩＤは、‘ＥＦ８８６ＡＥＦＡ３Ｂ３４０ｄａ９７１ＢＡＦ０９Ｂ１７ＤＢＣ１２２’であり、ラストＵＲＬは、‘２００４−０６−１１／ｍｙａｕｄｉｏ.ＷＡＶ’である。
【００６５】
ステップ１６０８で、ＭａｎｉｆｅｓｔＬｉｎｋＷｉｔｈＡｕｄｉｏ資産の下位レベルにあるオーディオエレメントの情報を検出する。ＭＰＶファイルが、図４のように構成された場合に、オーディオエレメントは、ＡｕｄｉｏＶｏｌｕｍｅ、ＡｕｄｉｏＰｌａｙｉｎｇＴｉｍｅ、ＡｕｄｉｏＦｉｌｅＳｉｚｅとなり、図１１を参照する場合に検出されるオーディオエレメントの情報は、ＡｕｄｉｏＶｏｌｕｍｅ値が‘５０’であり、ＡｕｄｉｏＰｌａｙｉｎｇＴｉｍｅ値が‘１２０’であり、ＡｕｄｉｏＦｉｌｅＳｉｚｅ値が‘２６２９７９９’である。しかし、前記オーディオエレメントは、オプションであるので、ＭａｎｉｆｅｓｔＬｉｎｋＷｉｔｈＡｕｄｉｏ資産の下位レベルに何れも存在していないか、または少なくとも一つが存在しうる。
【００６６】
ステップ１６０９で、前記ステップ１６０４で検出されたＭａｎｉｆｅｓｔＬｉｎｋ資産についての情報、ステップ１６０７で検出されたＡｕｄｉｏ資産についての情報、前記ステップ１６０８で検出されたオーディオエレメントについての情報を利用してマルチメディアプレイリストを再生する。このとき、オーディオ資産についての情報に基づいて、記録媒体からＭａｎｉｆｅｓｔＬｉｎｋに結合されたオーディオファイルのデータを読み取って、ＭａｎｉｆｅｓｔＬｉｎｋ資産に対応するアルバムのコンテンツについての案内情報として提供する。前記オーディオファイルデータは、コンテンツについての説明またはユーザがコンテンツを認識できる特定の文句または単語からなりうる。
【００６７】
ステップ１６０１で、ＭａｎｉｆｅｓｔＬｉｎｋＷｉｔｈＡｕｄｉｏＲｅｆが検出されたと認識されれば、ＭＰＶファイルが、図１２のような構造を有する場合である。
【００６８】
ステップ１６０２で、ＭａｎｉｆｅｓｔＬｉｎｋＷｉｔｈＡｕｄｉｏＲｅｆで‘ｍｐｖ：ｉｄＲｅｆ’を検出する。ステップ１６１１で、前記検出されたｉｄＲｅｆと同じｉｄを有するＭａｎｉｆｅｓｔＬｉｎｋＷｉｔｈＡｕｄｉｏ資産を検索する。前記ＭａｎｉｆｅｓｔＬｉｎｋＷｉｔｈＡｕｄｉｏ資産が検索されれば、前記方法は、ステップ１６０２に進む。このとき、検出されるｉｄＲｅｆと同じｉｄを有するＭａｎｉｆｅｓｔＬｉｎｋＷｉｔｈＡｕｄｉｏ資産の情報、ＡｕｄｉｏＲｅｆから検出されたｉｄＲｅｆと同じｉｄを有するオーディオ資産の情報、及びオーディオエレメントの情報は、前述のステップ１６０２ないしステップ１６０８で検出されたものと異なりうる。
【００６９】
以上、説明したようなマルチメディアプレイリストの再生方法を実行するためのプログラム及び前記マルチメディアプレイリストの再生を可能にするＭＰＶファイル構造は、コンピュータで読み取り可能な記録媒体に、コンピュータで読み取り可能なコードとして具現することが可能である。コンピュータで読み取り可能な記録媒体は、コンピュータシステムによって読み取られるデータが保存される全ての種類の保存装置を含む。コンピュータで読み取り可能な記録媒体の例としては、ＲＯＭ、ＲＡＭ、ＣＤ−ＲＯＭ、磁気テープ、フロッピー（登録商標）ディスク、光データ保存装置などがあり、また、キャリアウエーブ（例えば、インターネットを介した伝送）の形態で具現されるものも含む。
【００７０】
また、コンピュータで読み取り可能な記録媒体は、ネットワークに連結されたコンピュータシステムに分散されて、分散方式でコンピュータで読み取り可能なコードが保存され、かつ実行されうる。そして、前記マルチメディアプレイリストの再生方法を具現するための機能的なプログラム、コード及びコードセグメントは、当業界のプログラマーによって容易に推論されうる。
【００７１】
以上、本発明について、その望ましい実施形態を中心に説明した。当業者は、本発明が本発明の本質的な特性から逸脱しない範囲内で変形された形態で具現されうるということを理解できるであろう。したがって、開示された実施形態は、限定的な観点ではなく、説明的な観点で考慮されねばならない。本発明の範囲は、前述した説明ではなく、特許請求の範囲に示されており、それと同等な範囲内にある全ての差異点は、本発明に含まれたと解釈されねばならない。
【産業上の利用可能性】
【００７２】
本発明は、デジタルカメラ、デジタルカムコーダ、ＭＰ３ファイル、ＷＭＡファイルなどのデジタルオーディオの再生装置に関連した技術分野に好適に適用されうる。
【図面の簡単な説明】
【００７３】
【図１】メタデータがベーシックプロファイルを説明する要素であるとき、マニフェストのＭＰＶファイル構造を説明するための図である。
【図２】メタデータがプレゼンテーションプロファイルを説明する要素であるとき、マニフェストのＭＰＶファイル構造を説明するための図である。
【図３】本発明によってＭＰＶファイルを生成できるＩＴ装置またはＣＥ装置の機能ブロック図である。
【図４】ＭａｎｉｆｅｓｔＬｉｎｋＷｉｔｈＡｕｄｉｏ資産が含まれたＭＰＶファイル例を示す図である。
【図５】ＭａｎｉｆｅｓｔＬｉｎｋＷｉｔｈＡｕｄｏ資産に対するスキーマ情報の位置説明図である。
【図６】図４に示すＭａｎｉｆｅｓｔＬｉｎｋＷｉｔｈＡｕｄｉｏ資産のフルデスクリプションである。
【図７】図４に示すＭａｎｉｆｅｓｔＬｉｎｋＷｉｔｈＡｕｄｉｏ資産のタイプ要約図である。
【図８】図４に示すＡｕｄｉｏＶｏｌｕｍｅの説明図である。
【図９】図４に示すＡｕｄｉｏＰｌａｙｉｎｇｔｉｍｅの説明図である。
【図１０】図４に示すＡｕｄｉｏＦｉｌｅＳｉｚｅの説明図である。
【図１１】本発明の実施形態で、ＭａｎｉｆｅｓｔＬｉｎｋＷｉｔｈＡｕｄｉｏ資産が含まれたＭＰＶファイルのソースコードの例を示す図である。
【図１２】ＭａｎｉｆｅｓｔＬｉｎｋＷｉｔｈＡｕｄｉｏ資産及びＭａｎｉｆｅｓｔＬｉｎｋＷｉｔｈＡｕｄｉｏＲｅｆ資産を備えるＭＰＶファイルの例を示す図である。
【図１３】図１２に示すＭａｎｉｆｅｓｔＬｉｎｋＷｉｔｈＡｕｄｉｏＲｅｆの説明図である。
【図１４】本発明の実施形態で、ＭａｎｉｆｅｓｔＬｉｎｋＷｉｔｈＡｕｄｉｏＲｅｆ資産及びＭａｎｉｆｅｓｔＬｉｎｋＷｉｔｈＡｕｄｉｏ資産を含むＭＰＶファイルのソースコードの例を示す図である。
【図１５】本発明の実施形態によるオーディオが結合されたマルチメディアプレイリストを再生できるＣＥ装置またはＩＴ装置の機能ブロック図である。
【図１６】本発明の実施形態によるマルチメディアプレイリストの再生方法を示す動作フローチャートである。
【図１】
2007531960.tif 000003
【図２】
2007531960.tif 000004
【図３】
2007531960.tif 000005
【図４】
2007531960.tif 000006
【図５】
2007531960.tif 000007
【図６】
2007531960.tif 000008
【図７】
2007531960.tif 000009
【図８】
2007531960.tif 000010
【図９】
2007531960.tif 000011
【図１０】
2007531960.tif 000012
【図１１】
2007531960.tif 000013
【図１２】
2007531960.tif 000014
【図１３】
2007531960.tif 000015
【図１４】
2007531960.tif 000016
【図１５】
2007531960.tif 000017
【図１６】
2007531960.tif 000018
【国際調査報告】
2007531960.tif 000019
2007531960.tif 000020